(57)【要約】【課題】ファイナライズ処理及びクローズ処理時間を短時間で効率的に実行し、ボーダーアウトの最終アドレスを確実に管理できるようにした。【解決手段】ユーザデータを記録後ボーダークローズ又はファイナライズ処理を行う場合、  第１のステップで、少なくとも上記データ領域内の不連続領域にパディングを行い、最後にボーダーアウトを記録する。次の、第２のステップでデータリードイン領域の記録管理データディプリケーションゾーン（ＲＤＺ）に最新の前記記録管理データ（ＲＭＤ）を記録し、現在の記録管理データゾーン（ＲＭＺ）の未記録領域に、最新の前記記録管理データ（ＲＭＤ）を記録し、Ｒ物理フォーマットインフォメーションゾーン（Ｒ−ＲＦＩＺ）に、Ｒ物理フォーマットインフォメーション（Ｒ−ＲＦＩ）を記録する。【選択図】      図３
2006209926.tif 000002
【特許請求の範囲】
【請求項１】
データ領域とデータリードイン領域を有し、前記データリードイン領域にはＲＭＤディプリケーションゾーン（ＲＤＺ）と、少なくともボーダーエリアの開始位置及び最後の記録アドレスを含む記録管理データ（ＲＭＤ）を記録するための記録管理データゾーン（ＲＭＺ）と、物理フォーマットインフォメーションを記録するためのＲ物理フォーマットインフォメーションゾーン（Ｒ−ＲＦＩＺ）を有した追記型情報記録媒体に対して、
前記データ領域には拡張した記録管理データゾーン（ＥｘＲＭＺ）を設定可能であり、前記ＲＭＤディプリケーションゾーン（ＲＤＺ）には、前記拡張した記録管理データゾーン（ＥｘＲＭＺ）の記録位置に関する情報を記録することができる情報記録方法において、
前記ユーザデータを記録した後、ボーダークローズ又はファイナライズ処理を行う場合、
第１のステップで、少なくとも上記データ領域内の不連続領域にパディングを行うとともに、情報記録位置の最後にボーダーアウトを記録し、
次に第２のステップで、少なくとも上記データリードイン領域の記録管理データディプリケーションゾーン（ＲＤＺ）に最新の記録管理データ（ＲＭＤ）を記録することを特徴とする情報記録方法。
【請求項２】
前記第２のステップでは、さらに、Ｒ物理フォーマットインフォメーションゾーン（Ｒ−ＲＦＩＺ）に、Ｒ物理フォーマットインフォメーション（Ｒ−ＲＦＩ）を記録し、次に、現在の記録管理データゾーン（ＲＭＺ）の未記録領域に、前記最新の記録管理データ（ＲＭＤ）を記録し、次に前記記録管理データディプリケーションゾーン（ＲＤＺ）に最新の記録管理データ（ＲＭＤ）を記録する、
ことを特徴とする請求項１記載の情報記録方法。
【請求項３】
前記データ領域に、アップデート用として拡張したＲ物理フォーマットインフォメーションゾーン（Ｕ−ＲＦＩＺ）が確保され、また拡張した記録管理データゾーン（ＥｘＲＭＺ）が確保されている場合、
前記第１のステップでは、前記情報記録位置の最後にボーダーアウトを記録した後、
さらに、前記拡張したＲ物理フォーマットインフォメーションゾーン（Ｕ−ＲＦＩＺ）にアップデートした物理フォーマットインフォメーションを記録し、
次に、前記拡張した記録管理データゾーン（ＥｘＲＭＺ）に、最新の記録管理データ（ＲＭＤ）を記録することを特徴とする請求項１記載の情報記録方法。
【請求項４】
前記データ領域に、拡張した記録管理データゾーン（ＥｘＲＭＺ）が確保されている場合、
前記第１のステップでは、前記ボーダーアウトの記録の後、
前記拡張した記録管理データゾーン（ＥｘＲＭＺ）に、最新の記録管理データ（ＲＭＤ）を記録し、
前記第２のステップでは、前記記録管理データディプリケーションゾーン（ＲＤＺ）に最新の記録管理データ（ＲＭＤ）を記録した後、
前記Ｒ物理フォーマットインフォメーションゾーン（Ｒ−ＲＦＩＺ）に、Ｒ物理フォーマットインフォメーション（Ｒ−ＲＦＩ）を記録する、
ことを特徴とする請求項１記載の情報記録方法。
【請求項５】
データ領域とデータリードイン領域を有し、前記データリードイン領域にはＲＭＤディプリケーションゾーン（ＲＤＺ）と、少なくともボーダーエリアの開始位置及び最後の記録アドレスを含む記録管理データ（ＲＭＤ）を記録するための記録管理データゾーン（ＲＭＺ）と、物理フォーマットインフォメーションを記録するためのＲ物理フォーマットインフォメーションゾーン（Ｒ−ＲＦＩＺ）を有し、前記データ領域には拡張した記録管理データゾーン（ＥｘＲＭＺ）を設定可能であり、前記ＲＭＤディプリケーションゾーン（ＲＤＺ）には、前記拡張した記録管理データゾーン（ＥｘＲＭＺ）の記録位置に関する情報を記録可能な情報記録媒体を用いる装置であって、
前記データデータ領域にも拡張した記録管理データゾーン（ＥｘＲＭＺ）を設定可能な手段と、
前記ユーザデータを記録した後、ボーダークローズ又はファイナライズ処理を行う場合、
先に、少なくとも上記データ領域内の不連続領域にパディングを行うとともに、情報記録位置の最後にボーダーアウトを記録するデータ領域側への記録手段と、
次に、少なくとも上記データリードイン領域の記録管理データディプリケーションゾーン（ＲＤＺ）に最新の記録管理データ（ＲＭＤ）を記録するデータリードイン領域への記録手段を有する情報記録再生装置。
【請求項６】
前記データリードイン領域側への記録手段は、
さらに、Ｒ物理フォーマットインフォメーションゾーン（Ｒ−ＲＦＩＺ）に、Ｒ物理フォーマットインフォメーション（Ｒ−ＲＦＩ）を記録する手段、次に、現在の記録管理データゾーン（ＲＭＺ）の未記録領域に、前記最新の記録管理データ（ＲＭＤ）を記録する手段、次に前記記録管理データディプリケーションゾーン（ＲＤＺ）に最新の記録管理データ（ＲＭＤ）を記録する手段を含む、
ことを特徴とする請求項５記載の情報記録再生装置。
【請求項７】
前記データ領域側への記録手段が、前記データ領域に、アップデート用として拡張したＲ物理フォーマットインフォメーションゾーン（Ｕ−ＲＦＩＺ）を確保し、また拡張した記録管理データゾーン（ＥｘＲＭＺ）を確保している場合、
前記情報記録位置の最後にボーダーアウトを記録した後、
さらに、前記拡張したＲ物理フォーマットインフォメーションゾーン（Ｕ−ＲＦＩＺ）にアップデートした物理フォーマットインフォメーションを記録する手段と、
次に前記拡張した記録管理データゾーン（ＥｘＲＭＺ）に、最新の記録管理データ（ＲＭＤ）を記録する手段を含む
ことを特徴とする請求項５記載の情報記録再生装置。
【請求項８】
前記データ領域側への記録手段は、前記データ領域に、拡張した記録管理データゾーン（ＥｘＲＭＺ）を確保している場合、
前記ボーダーアウトの記録の後、前記拡張した記録管理データゾーン（ＥｘＲＭＺ）に、最新の記録管理データ（ＲＭＤ）を記録する手段を含み、
前記データリードイン側への記録手段は、
前記記録管理データディプリケーションゾーン（ＲＤＺ）に最新の記録管理データ（ＲＭＤ）を記録した後、前記Ｒ物理フォーマットインフォメーションゾーン（Ｒ−ＲＦＩＺ）に、Ｒ物理フォーマットインフォメーション（Ｒ−ＲＦＩ）を記録する手段を含む、
ことを特徴とする請求項５記載の情報記録再生装置。
【発明の詳細な説明】
【技術分野】
【０００１】
本発明は、情報記憶媒体（若しくは情報記録媒体）を用いた情報記録再生装置、情報記録方法に関する。
【背景技術】
【０００２】
このような情報記憶媒体としてはＤＶＤ(digital versatile disk)と呼ばれる光ディスクがある。現行のＤＶＤの規格としては、読み出し専用のＤＶＤ−ＲＯＭ規格、追記型のＤＶＤ−Ｒ規格、書換え（１０００回程度）型のＤＶＤ−ＲＷ、書換え（１００００回以上）型のＤＶＤ−ＲＡＭ規格がある。
【０００３】
記録可能なＤＶＤ規格では、リードイン領域の内側に記録中断時の中間情報（記録位置管理情報）を記録する。記録中断が発生する毎に対応して必ず１回ずつ中間情報を追記する必要がある。高密度になり、記録するデータが大容量化するに伴い、記録中断の回数も増えるため、中間情報のデータ量も増える。記録データの編集の利便性を考慮して、記録データと中間情報はそれぞれ専用の別の領域に記録されるので、記録データの記録領域に空きがあっても、記録中断の発生頻度が増加すると、リードイン領域よりも内側に指定された中間情報の記録場所が飽和し、中間情報の記録場所が消滅し、記録が不可能になる。その結果、現行の規格では、１枚の光ディスク（情報記憶媒体）当たりに許容される記録中断の上限回数が限定され、ユーザの利便性を損なうと言う問題が発生する。
【０００４】
また情報記憶媒体に情報を記録した後、ボーダークローズ或いはファイナライズ処理が必要である。しかしこのボーダークローズやファイナライズ処理には、終了までに時間が多くかかる。
【０００５】
またボーダークローズを行った場合には、そのボーダーアウトの最終アドレスを管理する必要であるが、この最終アドレスは、従来であると予測のもとで管理している。
【０００６】
記録情報の信頼性をあげるという意味で、書込み領域を指定する位置情報を、書込み情報に先立って受信する受信手段と、記録領域決定手段、及び書込み位置情報を書き込む手段を開示した文献（例えば特許文献１参照）がある。また、ディスクの分割された領域毎に複数の段階で信頼性を設定し、記録データの重要度に応じた信頼性の領域を選択して記録する技術がある（例えば参考文献２）。
【特許文献１】特開２０００−１９５１５７号公報
【特許文献２】特開２００２−２１６４２６号公報
【発明の開示】
【発明が解決しようとする課題】
【０００７】
記録可能な情報記憶媒体においては、記録中断回数の上限が限定され、利便性が損なわれるという問題点がある。また、ファイナライズ処理あるいはボーダークローズ処理時に、処理時間が長くなるという問題がある。また、追記型の情報記録媒体では、ボーダーアウトの最終記録アドレスを管理する場合、追記時の記録開始アドレスを迅速に精度よく決めるために、にさらなる信頼性を向上したいという要望がある。また、管理データ自身の信頼性も向上したいという要望がある。
【０００８】
そこでこの発明は、（１）記録終了位置を管理する管理領域を拡張することで、記録中断回数が多くなっても、問題なくボーダー領域の管理を行うことができ、且つ、（２）このように拡張したからといって、ファイナライズ処理及びボーダークローズ処理時間を長くすることなく、効果的にファイナライズ処理及びボーダークローズ処理を実行することができ、さらに（３）ボーダーアウトの最終アドレスの管理を正確に管理することができる情報記録再生装置及び情報記録方法を提供することを目的とするものである。
【課題を解決するための手段】
【０００９】
本発明では、データ領域とデータリードイン領域を有し、前記データリードイン領域にはＲＭＤディプリケーションゾーン（ＲＤＺ）と、少なくともボーダーエリアの開始位置及び最後の記録アドレスを含む記録管理データ（ＲＭＤ）を記録するための記録管理データゾーン（ＲＭＺ）と、物理フォーマットインフォメーションを記録するためのＲ物理フォーマットインフォメーションゾーン（Ｒ−ＲＦＩＺ）を有した追記型情報記録媒体に対して、前記データ領域には拡張した記録管理データゾーン（ＥｘＲＭＺ）を設定可能であり、前記ＲＭＤディプリケーションゾーン（ＲＤＺ）には、前記拡張した記録管理データゾーン（ＥｘＲＭＺ）の記録位置に関する情報を記録することができる情報記録方法において、前記ユーザデータを記録した後、ボーダークローズ又はファイナライズ処理を行う場合、
第１のステップで、少なくとも上記データ領域内の不連続領域にパディングを行うとともに、情報記録位置の最後にボーダーアウトを記録し、次に第２のステップで、少なくとも上記データリードイン領域の記録管理データディプリケーションゾーン（ＲＤＺ）に最新の記録管理データ（ＲＭＤ）を記録する。
【発明の効果】
【００１０】
上記の手段により、情報記録再生部のピックアップヘッドの無駄な移動をなくし、移動を最小限に抑えることができ、ボーダークローズ、ファイナライズに要する時間を短縮することができる。またこの方法であると、特に、ボーダーアウトを記録した後に、データリードイン領域の記録管理データディプリケーションゾーン（ＲＤＺ）に最新の記録管理データ（ＲＭＤ）を記録するので、ボーダーアウトの最後のアドレスが明確な状態で記録管理データ（ＲＭＤ）を記録することができる。
【発明を実施するための最良の形態】
【００１１】
以下、図面を参照して本発明による情報記録再生装置、情報再生装置、情報記録方法、情報再生方法の実施の形態を説明する。
【００１２】
図１は、情報記録再生装置の実施形態に係る構造説明図である。図１において制御部１４３より上側の部分が主に情報記憶媒体への記録信号処理部であり、制御部１４３より下側が再生信号処理部を表す。再生信号処理部１４１は、光ヘッド及びその移動位置コントローラなども含み、制御部１４３からの制御により統括されている。光ヘッドは、光ディスクの記録情報を光学的読み取ることができるとともに、また情報を光学的に記録することができる。光ヘッドは、トラッキングサーボ、フォーカスサーボにより光ディスクの記録トラックに追従する。
【００１３】
図１に於いて太い実線矢印が再生信号、または記録信号を意味するメイン情報の流れを示し、細い実線矢印が情報の流れ、一点鎖線矢印が基準クロックライン、細い破線矢印がコマンド指示方向を意味する。
【００１４】
図１に示した情報記録再生部１４１の中に光学ヘッド（図示せず）が配置されている。本実施形態では情報再生にＰＲＭＬ（Partial Response Maximum Likelihood）法を用い、情報記憶媒体の高密度化を図っている。種々の実験の結果、使用するＰＲクラスとしてはＰＲ（１，２，２，２，１）を採用すると線密度が高くできるとともに、再生信号の信頼性（例えば焦点ぼけやトラックずれなどサーボ補正誤差が発生した時の復調信頼性）を高くできることが判ったので、本実施形態ではＰＲ（１，２，２，２，１）を採用している。
【００１５】
本実施形態では（ｄ，ｋ；ｍ，ｎ）変調規則（前述した記載方法ではｍ／ｎ変調のＲＬＬ（ｄ，ｋ）を意味している）に従って変調後のチャネルビット列を情報記憶媒体に記録している。具体的には変調方式としては８ビットデータを１２チャネルビットに変換（ｍ＝８、ｎ＝１２）するＥＴＭ（Eight to Twelve Modulation）を採用し、変調後のチャネルビット列の中で“０”が続く長さに制限を掛けるランレングスリミテッド（ＲＬＬ）制約として“０”が連続する最小値をｄ＝１とし、最大値をｋ＝１０としたＲＬＬ（１，１０）の条件を課している。本実施形態では情報記憶媒体の高密度化を目指して極限近くまでチャネルビット間隔を短くしている。その結果、例えばｄ＝１のパターンの繰り返しである“１０１０１０１０１０１０１０１０１０１０１０１０”のパターンを情報記憶媒体に記録し、そのデータを情報記録再生部１４１で再生した場合には、再生光学系のＭＴＦ特性の遮断周波数に近付いているため、再生生信号の信号振幅はほとんどノイズに埋もれた形に成る。したがって、そのようにＭＴＦ特性の限界（遮断周波数）近くまで密度を詰めた記録マーク、またはピットを再生する方法としてＰＲＭＬ（Partial Response Maximum Likelihood）法の技術を使っている。
【００１６】
情報記録再生部１４１で再生された信号はＰＲ等化回路１３０により再生波形補正を受ける。ＡＤ変換器１６９で基準クロック発生回路１６０から送られてくる基準クロック１９８のタイミングに合わせてＰＲ等化回路１３０通過後の信号をサンプリングしてデジタル量に変換し、ビタビ復号器１５６内でビタビ復号処理を受ける。ビタビ復号処理後のデータは従来のスライスレベルで２値化されたデータと全く同様なデータとして処理される。ＰＲＭＬ法の技術を採用した場合、ＡＤ変換器１６９でのサンプリングタイミングがずれると、ビタビ復号後のデータのエラー率は増加する。したがって、サンプリングタイミングの精度を上げるため、本実施形態の情報再生装置、または情報記録再生装置では、特にサンプリングタイミング抽出用回路（シュミットトリガ２値回路１５５とＰＬＬ回路１７４の組み合わせ）を別に持っている。
【００１７】
シュミットトリガ２値化回路１５５は２値化するためのスライス基準レベルに特定の幅（実際にはダイオードの順方向電圧値）を持たせ、その特定幅を越えた時のみ２値化される特性を持っている。したがって、例えば、上述したように“１０１０１０１０１０１０１０１０１０１０１０１０”のパターンが入力された場合には、信号振幅が非常に小さいので２値化の切り替わりが起こらず、それよりも疎のパターンである、例えば“１００１００１００１００１００１００１００１”などが入力された場合に、再生生信号の振幅が大きくなるので、シュミットトリガ２値化回路１５５で“１”のタイミングに合わせて２値化信号の極性切り替えが起きる。本実施形態ではＮＲＺＩ（Non Return to Zero Invert）法を採用しており、上記パターンの“１”の位置と記録マークまたはピットのエッジ部（境界部）が一致している。
【００１８】
スライスレベル検出回路１３２は、スライスレベル検出方式を用いており、システムリードイン領域、システムリードアウト領域での再生時に使用される。
【００１９】
ＰＬＬ回路１７４ではシュミットトリガ２値化回路１５５の出力である２値化信号（又はスライスレベル検出回路１３２からの２値化信号）と基準クロック発生回路１６０から送られる基準クロック１９８信号との間の周波数と位相のずれを検出して、ＰＬＬ回路１７４の出力クロックの周波数と位相を変化させている。基準クロック発生回路１６０ではＰＬＬ回路１７４の出力信号とビタビ復号器１５６の復号特性情報（具体的には図示してないがビタビ復号器１５６内のパスメトリックメモリ内の収束長（収束までの距離）の情報）を用いてビタビ復号後のエラーレートが低くなるように基準クロック１９８（の周波数と位相）にフィードバックを掛ける。基準クロック発生回路１６０で発生される基準クロック１９８は再生信号処理時の基準タイミングとして利用される。
【００２０】
同期コード位置抽出部１４５はビタビ復号器１５６の出力データ列の中に混在している同期コード（シンクコード）の存在位置を検出し、上記出力データの開始位置の抽出役目を担っている。この開始位置を基準としてシフトレジスタ回路１７０に一時保存されたデータに対して復調回路１５２で復調処理を行う。本実施形態では１２チャネルビット毎に復調用変換テーブル記録部１５４内に記録された変換テーブルを参照して元のビット列に戻す。その後はＥＣＣデコーディング回路１６２によりエラー訂正処理が施され、デスクランブル回路１５９によりデスクランブルされる。復調信号からは、ＥＣＣブロック内のデータＩＤ部とＩＥＤ部の抽出が抽出部１７１により行われ、データＩＤ部に対するエラーチェックがチェック部１７２において行われる。ＩＤにエラーがある場合は、再度の読み取りが行われる。
【００２１】
また、デスクランブル回路１５９の出力から、論理セクタ情報の抽出が抽出部１７３にて行われ、論理セクタ情報は、インターフェース部１４２を介して、外部に出力される。インターフェース部１４２は、装置が記録動作を行っているときは、制御部１４３から論理セクタ情報を受けて、記録系の付加部１６８に与える。
【００２２】
本実施形態の追記形情報記憶媒体ではウォブル変調によりアドレス情報が事前に記録されている。ウォブル信号検出部１３５で、このアドレス情報を再生し（すなわち、ウォブル信号の内容を判別し）、希望場所へのアクセスに必要な情報を制御部１４３に対して供給する。
【００２３】
制御部１４３より上側にある情報記録制御系について説明する。情報記憶媒体上の記録位置に合わせてデータＩＤ発生部１６５からデータＩＤ情報が生成され、ＣＰＲ＿ＭＡＩデータ発生部１６７でコピー制御情報が発生されるとデータＩＤ，ＩＥＤ，ＣＰＲ＿ＭＡＩ，ＥＤＣ付加部１６８により記録すべき情報にデータＩＤ，ＩＥＤ，ＣＰＲ＿ＭＡＩ，ＥＤＣの各種情報が付加される。その後、デスクランブル回路１５７でデスクランブルされた後、ＥＣＣエンコーディング回路１６１でＥＣＣブロックが構成され、変調回路１５１でチャネルビット列に変換される。このときは変調時の変換テーブル記録部１５３のチャンネルビット列が利用される。チャンネルビット列は、変調後出たと変調関連情報の一記憶部１５０に一旦記録され、記録タイミングで、同期コード生成・付加部１４６に出力される。上記のチャンネルビット列の集合は、記録単位となるＥＣＣブロックを構築する。このときＥＣＣブロックは、シンクフレームの集合となり、このとき、シンクフレーム位置識別用コード生成部１３６により、シンクフレーム位置識別コードも生成され、変調関連情報として利用される。この後、同期コード生成・付加部１４６で同期コードを付加されて、情報記録再生部１４１で情報記憶媒体にデータが記録される。また、変調時にはＤＳＶ（Digital Sum Value）値計算部１４８で変調後のＤＳＶ値が逐次計算され、変調時のコード変換にフィードバックされる。
【００２４】
次に、この発明に係る要部を図２−図７を参照して説明する。図２は、光ディスクの内周側から最外周の半径を断面した様子を模式的に示し、その各種の領域を示している。この光ディスクは、追記型の情報記録媒体である。この光ディスクは、データリードインエリアと、データエリアを有する。
【００２５】
ここで、各用語といくつかのルールについて、簡単に説明する。ＲＭＤ（Recording management data)は、Ｒディスクの記録状態を管理するためのデータが含まれている。１つのＲＭＤは２２個のフィールドからなり、これは後で詳しく説明する。ＲＭＤの更新タイミングは、（１）ディスクが初期化されたとき、（２）ＲＺｏｎｅの予約、クローズなどの動作が行われた時、（３）ボーダー（Ｂｏｒｄｅｒ）がクローズされた時、ＲＭＺが拡張されたとき、（４）一定量ユーザデータが記録され、記録が中断したときである。
【００２６】
ＲＺｏｎｅは、ドライブが記録の位置を管理するための単位として使われる。つまり追記型のディスクでは、物理的な状態を維持するためにファイルシステムとは別にユーザデータの記録位置をドライブが管理している。ディスクには、上記ＲＭＤが記録され、ここには、現在使用している（追記可能な）ＲＺｏｎｅの番号、ＲＺｏｎｅの開始物理セグメント番号、最後の記録位置（Last recorded Address: LRA)が含まれる。追記可能は、ＲＺｏｎｅは常に３つまでである。追記は追記可能なＲＺｏｎｅの最終記録位置（Next writable Address : NWA)から行う。
【００２７】
ＲＭＺ（Recording management zone）は、ＲＮＤを保存する領域である。初期のＲＭＺは、データリードイン内に容易されている。ＲＮＺを使い切ると、空き領域が残存していても、ディスクへのデータの記録がそれ以上不可能になる。したがって、このような不具合をなくすために、ＲＭＺの拡張を行うことができるようになっている。拡張領域をＥｘＲＭＺとする。ＥｘＲＭＺは、２種類存在し、ボーダーエリア（ユーザデータが記録される領域）に確保されるものと、ボーダーゾーンに確保されるものとがある。
【００２８】
ＲＭＤ（RMD duplication zone）は、ＥｘＲＭＺの位置を管理するために利用される。ボーダーゾーン（Border zone ）は、ボーダーアウトとボーダーインで構成される。ボーダーゾーンは、ボーダークローズ動作によって記録される。この動作は、後で詳しく説明する。ＰＦＩ（Physical format information）は、ディスクの管理情報を含む。ＲＯＭプレーヤでも読み取り可能な情報である。記録位置により、３種類のＰＦＩが存在する。システムリードインエリア内のＰＦＩでは、ＨＤ  ＤＶＤファミリーの共通情報、データエリアの最終アドレス、ストラテジ情報などが記録されている。データリードインエリア内のＰＦＩには、ＨＤ  ＤＶＤファミリーの共通情報のコピー、第１のボーダーの最外周アドレスが記録されている。ユーザエリアにおける、ボーダーイン内のアップデートＰＦＩには、ＨＤ  ＤＶＤファミリーの共通情報のコピー、自己ボーダーの最外周アドレスが記録されている。
【００２９】
図２、図３に戻って説明する。データリードイン領域には記録管理データ（ＲＭＤ）ディプリケーションゾーン（ＲＤＺ）と、記録管理データ（ＲＭＤ）を記録するための記録管理データゾーン（ＲＭＺ）と、物理フォーマットインフォメーションを記録するためのＲ物理フォーマットインフォメーションゾーン（Ｒ−ＲＦＩＺ）とを有する。データエリアには、拡張した記録管理データゾーン（ＥｘＲＭＺ）を設定可能である（図４、図６に示す）。またデータ領域に、アップデート用として拡張したＲ物理フォーマットインフォメーションゾーン（Ｕ−ＲＦＩＺ）を設定可能である（図４に示す）。
【００３０】
図２、図４、図６において、白抜きの四角は、既記録部、斜線の四角は、ボーダークローズ時の処理部である。
【００３１】
ボーダークローズ時に図２に示す斜線位置への記録が行われるときのフローチャートは、図３に示すようになる。
【００３２】
即ち、ユーザデータを記録した後、ボーダークローズ又はファイナライズ処理を行う場合、情報記録処理部は、第１のステップで、少なくとも上記データ領域内の不連続領域にパディングを行う（”００ｈ”の書込みを行う）とともに（ステップＳＡ２）、次に、情報記録位置の最後にボーダーアウトを記録する（ステップＳＡ３）。このとき、重要なことは制御部１４３が、ボーダーアウトの最終アドレスを認識することができる。
【００３３】
次に第２のステップで、少なくとも上記データリードイン領域の記録管理データディプリケーションゾーン（ＲＤＺ）に最新の記録管理データ（ＲＭＤ）を記録する（ステップＳＡ６）。
【００３４】
さらに第２のステップでは、Ｒ物理フォーマットインフォメーションゾーン（Ｒ−ＲＦＩＺ）に、Ｒ物理フォーマットインフォメーション（Ｒ−ＲＦＩ）を記録し（ステップＳＡ４）し、記録管理データゾーン（ＲＭＺ）の未記録領域に、最新の記録管理データ（ＲＭＤ）を記録し（ステップＳＡ５）、次に前記記録管理データディプリケーションゾーン（ＲＤＺ）に最新の記録管理データ（ＲＭＤ）を記録する（ＳＡ６）。
【００３５】
このような記録手順（ステップＳＡ１−ＳＡ７）をとることにより、光ヘッドの無駄な移動を低減し、移動を効率的に移動させ、ボーダークローズ、ファイナライズに要する時間を短縮することができる。即ち、ディスクの外周から内周に向かい順次アクセスを行い、光ヘッドの移動を効率的に制御している。また、ボーダーアウトを記録した後に、最新のＲＭＤを、ＲＭＺに記録する。このことは、ボーダーアウトの最終アドレスが正確に把握できている状態で、ＲＭＤを記録することであり、次の記録を行うときに、データ領域における既記録部の最終アドレスが確実に判明する。
【００３６】
図２、図３は、ＲＭＺの拡張が行われなかった場合の例である。これに対して、図４、図５は、ＲＭＺ拡張が行われ、またＵ−ＰＦＩが記録されるときの例である。データエリアに対して情報記録手段が、アップデート用として拡張したＲ物理フォーマットインフォメーションゾーン（Ｕ−ＲＦＩＺ）を確保し、また拡張した記録管理データゾーン（ＥｘＲＭＺ）を確保した場合を示している。
【００３７】
ボーダークローズあるいはファイナライズ時には、第１のステップでは、情報記録手段は、データエリア側の拡張したＲ物理フォーマットインフォメーションゾーン（Ｕ−ＲＦＩＺ）にアップデートした物理フォーマットインフォメーション（Ｕ−ＲＦＩ）を記録し（ステップＳＢ２）、拡張した記録管理データゾーン（ＥｘＲＭＺ）に最新の記録管理データ（ＲＭＤ）を記録する（ステップＳＢ３）。この後、不連続領域にパディングを行う（”００ｈ”の書込みを行う）とともに（ステップＳＢ４）、情報記録位置の最後にボーダーアウトを記録する（ステップＳＢ５）。
【００３８】
次の第２のステップでは、情報記録処理部は、現在の記録管理データゾーン（ＲＭＺ）の未記録領域に、最新の記録管理データ（ＲＭＤ）を記録する（ステップＳＢ６）。
【００３９】
さらに、図６、図７は、ＲＭＺの拡張が行われ、Ｒ−ＰＦＩが記録されるときの例である。第１のステップでは、拡張した記録管理データゾーン（ＥｘＲＭＺ）に最新の記録管理データ（ＲＭＤ）を記録する（ステップＳＣ２）。この後、不連続領域にパディングを行う（”００ｈ”の書込みを行う）とともに（ステップＳＣ３）、情報記録位置の最後にボーダーアウトを記録する（ステップＳＣ４）。
【００４０】
次に、第２のステップでは、情報記録処理部は、現在の記録管理データゾーン（ＲＭＤＺ）の未記録領域に、最新の記録管理データ（ＲＭＤ）を記録する（ステップＳＣ５）。そしてＲ−ＰＦＩＺに物理フォーマット情報（Ｒ−ＰＦＩ）を記録する。
【００４１】
上記したようにこの発明の方法及び装置は、ボーダークローズ及びファイナライズ時には、データエリア側からデータリードイン側に向かって必要情報を記録していく。このために光ヘッドの効率的な移動による処理時間の短縮が得られ、特に、ボーダーアウトの最終アドレスが、確実となり、ＲＭＤあるいはＲＤＺに書き込まれることになる。
【００４２】
図８に本実施形態に係る情報記憶媒体の構造及び寸法を示す。実施形態としては
・再生専用で記録が不可能な“再生専用形情報記憶媒体”
・１回のみの追記記録が可能な“追記形情報記憶媒体”
・何回でも書き替え記録が可能な“書替え形情報記憶媒体”
の３種類の情報記憶媒体を明示する。図９に示すように上記３種類の情報記憶媒体では大部分の構造と寸法が共通化されている。３種類の情報記憶媒体いずれも内周側からバーストカッティング領域ＢＣＡ、システムリードイン領域ＳＹＬＤＩ、コネクション領域ＣＮＡ、データリードイン領域ＤＴＬＤＩ、データ領域ＤＴＡが配置された構造になっている。ＯＰＴ形再生専用媒体以外は全て外周部にデータリードアウト領域ＤＴＬＤＯが配置されている。後述するようにＯＰＴ形再生専用媒体では外周部にミドル領域ＭＤＡが配置される。システムリードイン領域ＳＹＬＤＩではエンボス（プリピット）の形で情報が記録されており、追記形および書替え形のいずれもこの領域内は再生専用（追記不可能）となっている。
【００４３】
再生専用形情報記憶媒体ではデータリードイン領域ＤＴＬＤＩ内もエンボス（プリピット）の形で情報が記録されているのに対し、追記形および書替え形情報記憶媒体ではデータリードイン領域ＤＴＬＤＩ内は記録マーク形成による新規情報の追記（書替え形では書替え）が可能な領域となっている。後述するように追記形および書替え形情報記憶媒体ではデータリードアウト領域ＤＴＬＤＯ内は新規情報の追記（書替え形では書替え）が可能な領域とエンボス（プリピット）の形で情報が記録されている再生専用領域の混在になっている。図９に示すデータ領域ＤＴＡ、データリードイン領域ＤＴＬＤＩ、データリードアウト領域ＤＴＬＤＯ、ミドル領域ＭＤＡではそこに記録されている信号の再生にＰＲＭＬ法を使うことにより、情報記憶媒体の高密度化（特に線密度が向上する）を達成すると共に、システムリードイン領域ＳＹＬＤＩ、システムリードアウト領域ＳＹＬＤＯではそこに記録されている信号の再生にスライスレベル検出方式を使うことにより、現行ＤＶＤとの互換性を確保するとともに再生の安定化を確保している。
【００４４】
現行ＤＶＤ規格とは異なり、図９に示す実施形態ではバーストカッティング領域ＢＣＡとシステムリードイン領域ＳＹＬＤＩとが重ならずに位置的に分離されている。両者を物理的に分離することにより、情報再生時のシステムリードイン領域ＳＹＬＤＩ内に記録された情報とバーストカッティング領域ＢＣＡ内に記録された情報との間の干渉を防止し、精度の高い情報再生が確保できる。
【００４５】
上記の情報記憶媒体はいずれも情報記憶媒体へ記録する情報の最小管理単位を２０４８バイトのセクタ単位としている。上記２０４８バイトのセクタ単位の物理的なアドレスを物理セクタ番号と定義する。
【００４６】
図９は、追記形情報記憶媒体における物理セクタ番号の設定方法を示す。バーストカッティング領域ＢＣＡとコネクション領域ＣＮＡ内には物理セクタ番号は付与せず、システムリードイン領域ＳＹＬＤＩ、データ領域ＤＴＡ、データリードアウト領域ＤＴＬＤＯに内周から昇順で物理セクタ番号を設定している。システムリードイン領域ＳＹＬＤＩの最後の物理セクタ番号は“０２６ＡＦＦｈ”になるように、データ領域ＤＴＡの開始位置での物理セクタ番号が“０３００００ｈ”になるように設定される。
【００４７】
図１０に追記形情報記憶媒体における本実施形態の各パラメータ値を示す。
【００４８】
図１１は追記形情報記憶媒体のデータ構造を示す。図示していないが、システムリードイン領域ＳＹＬＤＩの内側にはバーストカッティング領域ＢＣＡ領域がある。システムリードイン領域はエンボスで記録されている。コネクション領域はミラー部である。
【００４９】
図１１に示すように、追記形情報記憶媒体ではデータリードイン領域ＤＴＬＤＩとデータ領域ＤＴＡ内はグルーブ領域２１４が形成されている。ランド領域及びグルーブ領域２１３またはグルーブ領域２１４内に記録マークを形成することにより情報を記録する。
【００５０】
イニシャルゾーンＩＮＺはシステムリードインＳＹＬＤＩの開始位置を示している。イニシャルゾーンＩＮＺ内に記録されている意味を持った情報としては前述した物理セクタ番号または論理セクタ番号の情報を含むデータＩＤ（Identification Data）情報が離散的に配置されている。１個の物理セクタ内には後述するようにデータＩＤ、ＩＥＤ（ID Error Detection code）、ユーザ情報を記録するメインデータ、ＥＤＣ（Error Detection Code）から構成されるデータフレーム構造の情報が記録されるが、イニシャルゾーンＩＮＺ内にも上記のデータフレーム構造の情報が記録される。しかし、イニシャルゾーンＩＮＺ内ではユーザ情報を記録するメインデータの情報を全て“００ｈ”に設定するため、イニシャルゾーンＩＮＺ内での意味のある情報は前述したデータＩＤ情報のみとなる。この中に記録されている物理セクタ番号、または論理セクタ番号の情報から現在位置を知る事ができる。すなわち、図１の情報記録再生部１４１で情報記憶媒体からの情報再生を開始する時にイニシャルゾーンＩＮＺ内の情報から再生開始した場合には、まずデータＩＤ情報の中に記録されている物理セクタ番号または論理セクタ番号の情報を抽出して情報記憶媒体内の現在位置を確認しつつ制御データゾーンＣＤＺへ移動する。
【００５１】
第１、第２バッファゾーンＢＦＺ１、ＢＦＺ２はそれぞれ３２ＥＣＣブロックから構成されている。１ＥＣＣブロックはそれぞれ３２物理セクタから構成されているので、３２ＥＣＣブロックは１０２４物理セクタ分に相当する。第１、第２バッファゾーンＢＦＺ１、ＢＦＺ２内もイニシャルゾーンＩＮＺと同様にメインデータの情報を全て“００ｈ”に設定している。
【００５２】
コネクション領域（Connection Area）ＣＮＡ内に存在するコネクションゾーンＣＮＺはシステムリードイン領域ＳＹＬＤＩとデータリードイン領域ＤＴＬＤＩを物理的に分離するための領域で、この領域はいかなるエンボスピットやプリブルーブも存在しないミラー面になっている。
【００５３】
追記形情報記憶媒体の参照コード記録ゾーン（Reference code zone）ＲＣＺは再生装置の再生回路調整用に用いられる領域で、前述したデータフレーム構造の情報が記録されている。参照コードの長さは１ＥＣＣブロック（＝３２セクタ）になっている。再生専用形情報記憶媒体と追記形情報記憶媒体の参照コード記録ゾーン（Reference code zone）ＲＣＺをデータ領域（Data Area）ＤＴＡの隣りに配置する所に本実施形態の特徴がある。現行ＤＶＤ-ＲＯＭディスク及び現行ＤＶＤ-Ｒディスクいずれの構造においても、参照コード記録ゾーン（Reference code zone）とデータ領域（Data Area）との間に制御データゾーンが配置されており、参照コード記録ゾーンとデータ領域との間が離れている。参照コード記録ゾーンとデータ領域との間が離れていると、情報記憶媒体の傾き量や光反射率あるいは（追記形情報記憶媒体の場合には）記録膜の記録感度が若干変化し、参照コード記録ゾーンの所で再生装置の回路定数を調整してもデータ領域での最適な回路定数がずれてしまうと言う問題が発生する。上記問題を解決するために参照コード記録ゾーン（Reference code zone）ＲＣＺをデータ領域（Data Area）ＤＴＡに隣接配置すると、参照コード記録ゾーン（Reference code zone）ＲＣＺ内で情報再生装置の回路定数を最適化した場合に、隣接するデータ領域（Data Area）ＤＴＡ内でも同じ回路定数で最適化状態が保持される。データ領域（Data Area）ＤＴＡ内の任意の場所で精度良く信号再生したい場合には
（１）参照コード記録ゾーン（Reference code zone）ＲＣＺ内で情報再生装置の回路定数を最適化する
→（２）データ領域ＤＴＡ内の参照コード記録ゾーンＲＣＺに最も近い部分を再生しながら情報再生装置の回路定数を再度最適化する
→（３）データ領域ＤＴＡ内の目的位置と、（２）で最適化した位置との中間位置で情報再生しながら回路定数を再々度最適化する
→（４）目的位置に移動して信号再生する
のステップを経ることにより、非常に精度良く目的位置での信号再生が可能となる。
【００５４】
追記形情報記憶媒体と書替え形情報記憶媒体内に存在する第１、第２ガードトラックゾーン（Guard track zone）ＧＴＺ１、ＧＴＺ２はデータリードイン領域ＤＴＬＤＩの開始境界位置とディスクテストゾーンＤＫＴＺ、ドライブテストゾーンＤＲＴＺの境界位置を規定するための領域で、この領域には記録マーク形成による記録をしてはいけない領域として規定される。第１、第２ガードトラックゾーンＧＴＺ１、ＧＴＺ２はデータリードイン領域ＤＴＬＤＩ内に存在するため、この領域内には追記形情報記憶媒体ではプリグルーブ領域は、書替え形情報記憶媒体ではグルーブ領域とランド領域は事前に形成されている。プリグルーブ領域、あるいはグルーブ領域、ランド領域内はウォブルアドレスが予め記録されているので、このウォブルアドレスを用いて情報記憶媒体内の現在位置を判定する。
【００５５】
ディスクテストゾーンＤＫＴＺは情報記憶媒体の製造メーカが品質テスト（評価）を行うために設けられた領域である。
【００５６】
ドライブテストゾーンＤＲＴＺは情報記録再生装置が情報記憶媒体への情報を記録する前に試し書きするための領域として確保されている。情報記録再生装置は予めこの領域内で試し書きを行い、最適な記録条件（ライトストラテジ）を割り出した後、その最適記録条件でデータ領域ＤＴＡ内に情報を記録する事が出来る。
【００５７】
図１１に示すように、追記形情報記憶媒体ではＲＭＤディプリケーションゾーンＲＤＺと記録位置管理ゾーンＲＭＺ、Ｒ物理情報ゾーンＲ-ＰＦＩＺが独自に存在する。
【００５８】
記録位置管理ゾーンＲＭＺ内にはデータの追記処理により更新されるデータの記録位置に関する管理情報である記録位置管理データＲＭＤ（Recording Management Data）が記録される。
【００５９】
本実施形態では、たとえばボーダー内領域ＢＲＤＡ毎にそれぞれ記録位置管理ゾーンＲＭＺを設定し、記録位置管理ゾーンＲＭＺの領域の拡張を可能としている。その結果、追記頻度が増加して必要とする記録位置管理データＲＭＤ領域が増加しても、逐次、記録位置管理ゾーンＲＭＺを拡張することにより対応可能なため、追記回数を大幅に増やせると言う効果が生まれる。この場合、本実施形態では各ボーダー内領域ＢＲＤＡに対応した（各ボーダー内領域ＢＲＤＡの直前に配置された）ボーダーインＢＲＤＩ内に記録位置管理ゾーンＲＭＺを配置する。本実施形態では、最初のボーダー内領域ＢＲＤＡ＃１に対応したボーダーインＢＲＤＩとデータリードイン領域ＤＴＬＤＩとを兼用化し、データ領域ＤＴＡ内での最初のボーダーインＢＲＤＩの形成を省略して、データ領域ＤＴＡの有効活用を行っている。すなわち、図１１に示したデータリードイン領域ＤＴＬＤＩ内の記録位置管理ゾーンＲＭＺは最初のボーダー内領域ＢＲＤＡ＃１に対応した記録位置管理データＲＭＤの記録場所として利用されている。
【００６０】
ＲＭＤディプリケーションゾーンＲＤＺは記録位置管理ゾーンＲＭＺ内の下記の条件を満足する記録位置管理データＲＭＤの情報を記録する場所で、本実施形態のように記録位置管理データＲＭＤを重複して持つことにより、記録位置管理データＲＭＤの信頼性を高めている。
【００６１】
すなわち、追記形情報記憶媒体の表面に付いたゴミや傷の影響で記録位置管理ゾーンＲＭＺ内の記録位置管理データＲＭＤが読み取り不可能になった場合、ＲＭＤディプリケーションゾーンＲＤＺ内に記録された記録位置管理データＲＭＤを再生し、更に残りの必要な情報をトレーシングにより収集することにより、最新の記録位置管理データＲＭＤの情報を復元できる。
【００６２】
ＲＭＤディプリケーションゾーンＲＤＺ内にはボーダー（複数のボーダーも含む）をクローズする時点での記録位置管理データＲＭＤが記録される。１個のボーダーをクローズし、次の新たなボーダー内領域を設定する毎に新たな記録位置管理ゾーンＲＭＺを定義するので、新たな記録位置管理ゾーンＲＭＺを作成する毎に、その前のボーダー内領域に関係した最後の記録位置管理データＲＭＤをＲＭＤディプリケーションゾーンＲＤＺ(RMD duplication zone)内に記録すると言っても良い。
【００６３】
追記形情報記憶媒体上に記録位置管理データＲＭＤを追記する毎に同じ情報をＲＭＤディプリケーションゾーンＲＤＺに記録すると、比較的少ない追記回数でＲＭＤディプリケーションゾーンＲＤＺが一杯になってしまうため追記回数の上限値が小さくなってしまう。それに比べて本実施形態のようにボーダーをクローズした時や、ボーダーインＢＲＤＩ内の記録位置管理ゾーンＲＭＺ内が一杯になりＲゾーンを用いて新たな記録位置管理ゾーンＲＭＺを形成する時などの新たに記録位置管理ゾーンＲＭＺを作る場合に、今までの記録位置管理ゾーンＲＭＺ内の最後の記録位置管理データＲＭＤのみをＲＭＤディプリケーションゾーンＲＤＺ内に記録することにより、ＲＭＤディプリケーションゾーンＲＤＺ内を有効活用して追記可能回数を向上できる。
【００６４】
例えば、追記途中の（ボーダークローズする前の）ボーダー内領域ＢＲＤＡに対応した記録位置管理ゾーンＲＭＺ内の記録位置管理データＲＭＤが追記形情報記憶媒体の表面に付いたゴミや傷の影響で再生不可能になった場合には、ＲＭＤディプリケーションゾーンＲＤＺ内の最後に記録された記録位置管理データＲＭＤを読み取ることにより、既にクローズされたボーダー内領域ＢＲＤＡの場所が分かる。したがって、情報記憶媒体のデータ領域ＤＴＡ内のそれ以外の場所をトレースすることにより、追記途中の（ボーダークローズする前の）ボーダー内領域ＢＲＤＡの場所とそこに記録された情報内容を収集でき、最新の記録位置管理データＲＭＤの情報を復元できる。
【００６５】
上記のＲゾーンとは、追記形記録媒体で物理的に連続な状態を維持するためにファイルシステムとは別にユーザデータの記録位置をドライブが管理するために使われるエリアである。
【００６６】
図１１に存在する制御データゾーンＣＤＺ内の物理フォーマット情報ＰＦＩに類似した情報がＲ物理情報ゾーンＲ-ＰＦＩＺ内に記録される。
【００６７】
図１２は本実施形態に係る物理フォーマット情報（ＰＦＩ）の説明をするための図である。物理フォーマット情報（physical format information）にはディスクの管理情報が保存されている。この情報は、ＲＯＭプレーヤでも読み取り可能である。記録位置により３種類の物理フォーマット情報が存在する。
【００６８】
（１）物理フォーマット情報ＰＦＩ（システムリードイン領域の制御データゾーンＣＤＺ内）：ＨＤ  ＤＶＤファミリーの共通情報／データエリアの最終アドレス／ストラテジ情報等が記録されている。
【００６９】
（２）Ｒ物理フォーマット情報Ｒ−ＰＦＩ（データリードイン領域内）：ＨＤ  ＤＶＤファミリーの共通情報のコピー／第１ボーダーの最外周アドレスが記録されている。最初のボーダー内領域はボーダーインをデータリードインと兼用（本来ボーダーインに記録されるべき情報がデータリードインに記録）されている。そのため、最初のボーダーについてのボーダーインは存在しない。
【００７０】
（３）アップデート物理フォーマット情報Ｕ−ＰＦＩ（ボーダーイン領域内）：ＨＤ  ＤＶＤファミリーの共通情報のコピー／自己ボーダーの最外周アドレスが記録されている。
【００７１】
図１３は本実施形態に係る記録位置管理データＲＭＤ（recording management data）の基本概念を説明するための図である。ここには、追記形ディスクの記録状態を管理するためのデータが保存されている。１つのＲＭＤは１物理セグメントブロックからなり、２２個のフィールドが定義されている。フィールド０はディスクの状態、更新されたデータエリアアロケーションを、フィールド１は使用したテストゾーン、記録波形情報を、フィールド３はボーダーエリアの開始位置、拡張ＲＭＺの位置を、フィールド４は使用中のＲゾーン番号、Ｒゾーンの開始位置とＬＲＡ（最後の記録位置：last recorded address）を、フィールド５〜フィールド２１はＲゾーンの開始位置とＬＲＡを格納する。
【００７２】
ＲＭＤの更新タイミングは下記のように定義されている、
ディスクが初期化された時
Ｒゾーンの予約、クローズ等の動作が行われた時
ボーダーがクローズされ、ＲＭＺが拡張された時
一定量のユーザデータが記録され、記録が中断した時
図１４は本実施形態の情報再生装置もしくは情報記録再生装置における情報記憶媒体装着直後の処理手順を示すフローチャートである。
【００７３】
ディスクが装置に装着されると、ステップＳＴ２２でバーストカッティング領域ＢＣＡが再生される。本実施形態はＨＤ  ＤＶＤ−Ｒディスクをサポートしている。
【００７４】
ステップＳＴ２４でシステムリードイン領域を再生する。ステップＳＴ２６でＲＭＤディプリケーションゾーンＲＤＺを再生する。ブランクでないディスクはＲＭＤディプリケーションゾーンＲＤＺに記録位置管理データＲＭＤが記録されている。記録位置管理データＲＭＤの記録の有無に応じて、ステップＳＴ２８でブランクディスクか否かを判断する。ブランクディスクの場合は本処理は終了する。ブランクディスクでない場合はステップＳＴ３０で最新の記録位置管理データＲＭＤを検索し、現在使用している追記可能なＲゾーンの番号、Ｒゾーンの開始物理セグメント番号、最後の記録位置ＬＲＡを求める。なお、追記可能なＲゾーン３つまで設定可能である。ブランクではないディスクを排出する時は、ボーダークローズ、あるいはファイナライズを実行する。
【００７５】
図１５は本実施形態の情報記録再生装置における追記形情報記憶媒体への情報の追記方法を説明するためのフローチャートである。ホストから記録指示（write(10)）が与えられると、ステップＳＴ３２で記録位置管理データＲＭＤを記録する記録位置管理ゾーンＲＭＺの残量が十分であるか否かを判断する。残量が十分でない場合は、ステップＳＴ３４でホストへ“ＲＭＺの残量小”を報告する。この場合は、記録位置管理ゾーンＲＭＺの拡張が想定される。
【００７６】
残量が十分である場合は、ステップＳＴ３６でＯＰＣ（どこまで試し書きしたかを記録する処理）が必要であるか否かを判断する。必要である場合は、ステップＳＴ３８でＯＰＣを実行し、ステップＳＴ４０で記録位置管理データＲＭＤの更新が必要か否か判断する。更新が必要な場合とは、Ｒゾーン予約直後の記録指示の場合と、最新ＲＭＤ中の最終記録位置ＮＷＡと実際の最終記録位置ＮＷＡとの差が１６ＭＢ以上である場合である。ステップＳＴ４２で記録位置管理データＲＭＤの更新が行われ、ステップＳＴ４４でデータが記録され、ステップＳＴ４６でホストに記録終了が報告され、動作を終了する。
【００７７】
図１６は本実施形態に係る拡張可能な記録位置管理ゾーンＲＭＺの設定方法の概念を説明するための図である。当初はデータリードイン領域に記録位置管理データＲＭＤを保存するための記録位置管理ゾーンＲＭＺが設定されている。記録位置管理ゾーンＲＭＺを使い切ると、データ領域が空いていても、ディスクへのデータの記録が不可能となるので、記録位置管理ゾーンＲＭＺの残量が少なくなると、拡張記録位置管理ゾーンＥＸ．ＲＭＺを設定する。拡張記録位置管理ゾーンＥＸ．ＲＭＺはユーザデータが記録されるボーダー内領域に設定してもよいし、ボーダーゾーン（隣接するボーダーアウトとボーダーインからなる）に設定してもよい。すなわち、ボーダー内領域内の拡張記録位置管理ゾーンＥＸ．ＲＭＺとボーダーイン内の拡張記録位置管理ゾーンＥＸ．ＲＭＺとはディスク内で混在可能である。
【００７８】
拡張記録位置管理ゾーンＥＸ．ＲＭＺが設定されると、最新の記録位置管理データＲＭＤが１物理セグメントブロックとしてＲＭＤディプリケーションゾーンＲＤＺにコピーされる。ＲＭＤディプリケーションゾーンＲＤＺは、拡張記録位置管理ゾーンＥＸ．ＲＭＺの位置を管理するために使用される。ＲＭＤディプリケーションゾーンＲＤＺには、拡張記録位置管理ゾーンＥＸ．ＲＭＺが新たに設定されるたびに、最新の記録位置管理データＲＭＤが１物理セグメントブロックとしてコピーされる。ＲＭＤディプリケーションゾーンＲＤＺに１つの最新の記録位置管理データＲＭＤがコピーされるときは、拡張記録位置管理ゾーンＥＸ．ＲＭＤが複数のＲＭＤで満杯になる毎である。
【００７９】
ＲＭＤディプリケーションゾーンＲＤＺは１２８物理セグメントブロックからなるので、記録位置管理ゾーンＲＭＺはディスク内で１２７回拡張可能であり、ディスク内のボーダーゾーンの数は最大１２８個である。ボーダー内領域の１２７個の拡張記録位置管理ゾーンＥＸ．ＲＭＺを使って記録位置管理データＲＭＤは１６３８４回まで拡張可能である。
【００８０】
図１７は図１６を詳細に示す図である。すなわち、ボーダー内領域の拡張記録位置管理ゾーンＥＸ．ＲＭＺは隣接するＲゾーンの間に設定される。ボーダーゾーンに拡張される場合は、通常はボーダーインの末尾に設定される。
【００８１】
図１８は本実施形態に係るボーダーゾーンについての説明図である。ＤＰＤ方式でトラックを検出するＲＯＭプレーヤでの再生を可能にするためにボーダーゾーンが記録される。ボーダーゾーンはボーダーインとボーダーアウトで構成されている。プレーヤはグルーブへのトラッキングができないため、ディスクに未記録領域があると、記録位置管理データＲＭＤ、記録データの端にアクセスができない。ＲＯＭプレーヤのトラック検出方法はＤＰＤ方式なので、前提条件としてプリピットがあることが必要である。ＤＶＤ−Ｒディスクの記録膜は記録マーク箇所で位相ずれが生じるように膜設計がされていて、あたかも、位相ずれがプリピットと見なされる。したがって、ＲＯＭプレーヤが読める管理情報と記録データの再生のためのオーバーラン領域の記録が必要になる。前者はボーダーイン、後者はボーダーアウトとして記録される。
【００８２】
ボーダーゾーンはボーダークローズ動作によって記録される。ボーダークローズ時には、（１）現在の記録位置管理ゾーンＲＭＺとユーザデータの不連続領域がパディングされ、
（２）Ｒ物理フォーマット情報Ｒ−ＰＦＩが記録され、
（３）ボーダーアウトが記録される。なお、ボーダーインにはアップデート物理フォーマット情報Ｕ−ＰＦＩと、拡張ＲＭＺが記録される。
【００８３】
図１９は本実施形態の情報記録再生装置における２番目以降のボーダー内領域のクローズ処理を説明するための図である。同図（ａ）に示すように、インコンプリートＲゾーンにユーザデータが記録されていて、記録位置管理データＲＭＤ３がボーダーインに記録されている状態で、ボーダークローズする場合を説明する。追記可能なＲゾーンの最終記録位置ＮＭＷがボーダーインに設定されるアップデート物理フォーマット情報Ｕ−ＰＦＩに記録されるとともに、ボーダーインの残りの部分（現在の記録位置管理ゾーンＲＭＺの未記録部分）に最新の記録位置管理データＲＭＤ４が繰返し記録される（同図（ｂ））。そして、最新の記録位置管理データＲＭＤ４はＲＭＤディプリケーションゾーンＲＤＺにコピーされる。ユーザデータの外側にボーダーアウトが記録される。ボーダーアウトの領域タイプ情報は００ｂ：データ領域である。
【００８４】
図２０は本実施形態の情報記録再生装置においてボーダー内領域を一旦クローズした後に終了処理（ファイナライズ）する場合の処理方法を説明する図である。図２０の（ａ）に示すように、ボーダークローズされると、Ｒゾーンがコンプリートされる。図２０の（ｂ）に示すように、データ領域の末尾のボーダーアウトの外側にターミネーターを記録する。ターミネーターの領域タイプ情報は１０ｂ：データリードアウト領域である。
【００８５】
図２１は本実施形態に係るボーダーイン内に記録する拡張記録位置管理ゾーンＥＸ．ＲＭＺの原理を説明する図である。図２１の（ａ）に示すように、３つのＲゾーンが設定されている状態でボーダークローズする場合を説明する。
【００８６】
Ｒゾーンとは、追記形記録媒体で物理的に連続な状態を維持するためにファイルシステムとは別にユーザデータの記録位置をドライブが管理するために使われる。データ記録可能領域でユーザデータを記録するために予約されている部分がＲゾーンと呼ばれる。Ｒゾーンは記録状態に応じて２つのタイプに分類される。オープン（開放型）Ｒゾーンは付加的なデータが追加可能である。コンプリート（完結型）Ｒゾーンはこれ以上付加的なデータが追加不可能である。オープンＲゾーンは２つまで設定可能である。データ記録可能領域でユーザデータを記録するために予約されている部分はインビジブル（未指定状態）Ｒゾーンと呼ばれる。後続するＲゾーンはインビジブルＲゾーン内で予約される。これ以上データが追加されない場合は、インビジブルＲゾーンは存在しない。すなわち、一度に３つまでのＲゾーンが設定可能であり、オープンＲゾーンはゾーンの開始アドレス、最終アドレスがともに設定されているが、インビジブルＲゾーンは、開始アドレスは設定されているが、最終アドレスは設定されていない。
【００８７】
ボーダークローズする際には、図２１の（ｂ）に示すように、第１、第２のＲゾーン（オープンＲゾーン）（内周側から第１、第２、第３ゾーンと呼ばれる）の未記録部分が“００ｈ”で埋められ、第３のＲゾーン（インコンプリートＲゾーン）の記録データの外側にボーダーアウトが記録される。ボーダーアウトの外側にボーダーインが記録され、その中に拡張記録位置管理ゾーンＥＸ．ＲＭＺが記録される。
【００８８】
記録管理位置データＲＭＤはボーダーインの拡張記録位置管理ゾーンＥＸ．ＲＭＺを使用して３９２回以上（１６３８４回）更新可能である。しかし、ボーダーインの拡張記録位置管理ゾーンＥＸ．ＲＭＺを使用する前に、ボーダーはクローズしなければならず、時間がかかる。
【００８９】
図２２は本実施形態に係るＲゾーンについての説明図である。追記形媒体の再生のためには物理連続な状態を維持するためにファイルシステムとは別にユーザデータの記録位置をドライブが管理している。ドライブは記録の位置をＲゾーン単位で管理しており、ディスクには記録位置管理データＲＭＤとして逐次下記の情報が保存される。
【００９０】
・現在使用している追記可能なＲゾーンの番号
・Ｒゾーンの開始物理セグメント番号
・最後の記録位置ＬＲＡ（last recorded address）
追記可能なＲゾーンは常に３つまでである。図２２の例では、Ｒゾーン＃３、Ｒゾーン＃４、Ｒゾーン＃５の３つが追記可能なＲゾーンである。追記は追記可能なＲゾーンの最終記録位置ＮＷＡ（next writable address）から行う。追記が完了すると、最後の記録位置ＬＲＡ＝最終記録位置ＮＷＡとなる。Ｒゾーン＃１、Ｒゾーン＃２は未記録領域が無いので、これ以上の付加的なデータの追加が不可能であり、コンプリートＲゾーンである。
【００９１】
図２３はＲゾーンを用いた複数箇所同時追記可能方式についての本実施形態に係る概念説明図である。図２３の（ａ）は基本的な記録方法であり、Ｒゾーンは予約されておらず、データはインビジブルＲゾーン、あるいはインコンプリートＲゾーンの１つのアドレスＮＷＡから順に記録される。インコンプリートＲゾーンは最終アドレスが設定されていないという点でインビジブルＲゾーンであるが、インビジブルＲゾーンはデータが全く記録されておらず、最終記録位置ＮＷＡが開始アドレスであるのに対し、インコンプリートＲゾーンは途中までデータが記録されており、最終記録位置ＮＷＡが開始アドレスからずれている。
【００９２】
図２３の（ｂ）は従来のＤＶＤ−Ｒと同様に、複数のアドレスからの記録をサポートしている例である。ドライブは１つのインビジブルＲゾーンと２つのオープンＲゾーンを同時に設定することができる。そのため、Ｒゾーンの最終記録位置ＮＷＡは３つある。例えば、オープンＲゾーンにファイル管理情報、インビジブルＲゾーンに映像データを記録することができる。映像データが記録されると、インビジブルＲゾーンの最終記録位置ＮＷＡは開始アドレスからずれて、インコンプリートＲゾーンになる。
【００９３】
図２４は本実施形態の情報記録再生装置におけるＲゾーンの設定方法と記録位置管理データＲＭＤとの関係を説明する図である。図２４の（ａ）に示すように、データ領域にはオープンＲゾーンが設定されておらず、インコンプリートＲゾーンのみが存在するとする。インコンプリートＲゾーンの記録位置管理データＲＭＤ１が記録位置管理ゾーンＲＭＤに記録されている。インコンプリートＲゾーンに映像データを記録し、次に、別のゾーンに管理情報を記録する場合を説明する。先ず、図２４の（ｂ）に示すように、Ｒゾーンをクローズするために、インコンプリートＲゾーンをコンプリートＲゾーンとする。すなわち、ユーザデータの最終アドレスをＲゾーンの最終アドレスとする。コンプリートＲゾーンの記録位置管理データＲＭＤ２（ＲＭＤのフィールド４〜２１を更新）を記録位置管理ゾーンＲＭＺに追加的に記録する。図２４の（ｃ）に示すように、コンプリートＲゾーンの外側に所定のサイズのオープンＲゾーンを設定（予約）し、オープンＲゾーンの外側をインビジブルＲゾーンとする。オープンＲゾーンとインビジブルＲゾーンの記録位置管理データＲＭＤ３を記録位置管理ゾーンＲＭＺに追加的に記録する。
【００９４】
なお、後述するが、オープンＲゾーンの予約は記録位置管理ゾーンＲＭＺの拡張の場合も行われる。
【００９５】
図２５は最初のボーダー内領域をクローズした時のＲゾーンと記録位置管理データＲＭＤとの関連を説明するための図である。図２５の（ａ）に示すように、データ領域にオープンＲゾーンとインコンプリートＲゾーンが設定されているとする。記録位置管理ゾーンＲＭＺには記録位置管理データＲＭＤ１が記録されている。ボーダークローズする際は、図２５の（ｂ）に示すように、オープンＲゾーンの未記録領域に“００ｈ”を埋めてコンプリートＲゾーンとし、インコンプリートＲゾーンをコンプリートＲゾーンとし、コンプリートＲゾーンの外側にボーダーアウトを設定する。コンプリートＲゾーン、ボーダーアウトの記録位置管理データＲＭＤ２（ＲＭＤのフィールド３、４〜２１を更新）を記録位置管理ゾーンＲＭＺに追加的に記録するとともに、ＲＭＤディプリケーションゾーンＲＤＺに最新のＲＭＤ２をコピーする。ボーダーアウトの領域タイプは００ｂ：データ領域である。ボーダーアウトの開始アドレスをアップデート物理フォーマット情報Ｒ−ＰＦＩに記録する。ボーダークローズは追記形記憶媒体をプレーヤで再生可能とするために、未記録部分を記録データで埋めるものである。そのため、記録位置管理ゾーンＲＭＺの未記録領域を最新のＲＭＤ２で埋める。
【００９６】
図２６は本実施形態の情報記録再生装置における終了処理（ファイナライズ）手順の説明図である。ボーダークローズとファイナライズの違いはボーダークローズしても再度ボーダー内領域を設定可能（追記可能）であるのに対して、ファイナライズ後は決して追記できないことである。
【００９７】
本実施形態のファイナライズ処理はボーダークローズ処理の一部変更で実現可能であり、これによりファイナライズ時間が短縮できる。図２６のファイナライズが図２５のボーダークローズと違うのは、ボーダーアウトの領域タイプを１０ｂ：データリードアウト領域とし、記録位置管理データＲＭＤ２のフィールド０のディスクステータスを０２ｈ：「ディスクがファイナライズされることを示す」とする点である。
【００９８】
すなわち、ボーダークローズの場合は再度ボーダーインを設定できるように、ボーダーアウトをデータ領域内としておくのに対して、ファイナライズの場合はデータ領域をクローズするために、ボーダーアウトをデータリードアウト領域とする。とともに、ディスクのファイナライズを示すために記録位置管理データＲＭＤ２のフィールド０のディスクステータスを０２ｈとする。このようにデータの未記録領域をデータリードアウト領域に変更することにより、ファイナライズするためにデータ領域の未記録領域にデータを埋める必要は無く、ファイナライズの時間が短縮される。
【００９９】
図２７は本実施形態に係るＲゾーンを利用した拡張記録位置管理ゾーンＥＸ．ＲＭＺの設定についての原理説明図である。図２７の（ａ）は図２１の（ａ）と同じである。ボーダーをクローズすることなく、記録位置管理ゾーンＲＭＺを拡張したい要求がある。その場合、図２７の（ｂ）に示すように、インコンプリートＲゾーンをコンプリートＲゾーンに変更し、コンプリートＲゾーンの外側にボーダー内領域（１２８物理セグメントブロック）を設定し、その中に拡張記録位置管理ゾーンＥＸ．ＲＭＺを設定する。
【０１００】
ボーダー内領域の外側はインビジブルＲゾーンである。この場合、オープンＲゾーンの未記録領域にデータ“００ｈ”を埋めると、コンプリートＲゾーンに隣接してボーダーアウトを設定する必要はない。
【０１０１】
図２８は本実施形態に係るＲゾーンを利用した拡張記録位置管理ゾーンＥＸ．ＲＭＺの新規設定と記録位置管理データＲＭＤとの関係説明図である。記録位置管理ゾーンＲＭＺの残り容量がある値以下になったら、記録位置管理ゾーンＲＭＺの拡張が実行可能である。図２８の（ａ）に示すように、データ領域にインコンプリートＲゾーンが設定され、ユーザデータが記録されている。記録位置管理ゾーンＲＭＺにはユーザデータの記録位置管理データＲＭＤ１が記録されている。Ｒゾーンクローズ時は、図２８の（ｂ）に示すように、インコンプリートＲゾーンをコンプリートＲゾーンとする。すなわち、ユーザデータの最終アドレスをＲゾーンの最終アドレスとする。コンプリートＲゾーンの記録位置管理データＲＭＤ２（ＲＭＤのフィールド４〜２１を更新）を記録位置管理ゾーンＲＭＺに追加的に記録する。図２８の（ｃ）に示すように、コンプリートＲゾーンの外側に所定のサイズ（１２８物理セグメントブロック）のオープン記録位置管理ゾーンＲＭＺを予約（設定）し、オープン記録位置管理ゾーンＲＭＺの外側をインビジブルＲゾーンとする。オープン記録位置管理ゾーンＲＭＺとインビジブルＲゾーンの記録位置管理データＲＭＤ３（ＲＭＤのフィールド３、４〜２１を更新）を記録位置管理ゾーンＲＭＺの未記録領域に追加的に記録するとともに、ＲＭＤディプリケーションゾーンＲＤＺにＲＭＤ３をコピーする。
【０１０２】
図２９は同一ボーダー内領域において既存の記録位置管理ゾーンＲＭＺが満杯になった時の処理方法の概念説明図である。図２９の（ａ）に示すように、データリードイン領域の記録位置管理ゾーンＲＭＺがほとんど満杯になると、図２９の（ｂ）に示すように、図２７の（ｂ）と同様に、インコンプリートＲゾーンをコンプリートＲゾーンに変更し、コンプリートＲゾーンの外側にボーダー内領域（１２８物理セグメントブロック）を設定し、その中に拡張記録位置管理ゾーンＥＸ．ＲＭＺを設定する。ボーダー内領域の外側はインビジブルＲゾーンである。この後、図２９の（ｃ）に示すように、記録位置管理ゾーンＲＭＺの未記録領域を最新の記録位置管理データＲＭＤで埋め、ＲＭＤディプリケーションゾーンＲＤＺに最新の記録位置管理データＲＭＤをコピーする。
【０１０３】
図３０は本実施形態の情報再生装置または情報記録再生装置におけるＲＭＤディプリケーションゾーンＲＤＺを用いた最新の記録位置管理データＲＭＤの記録位置検索方法の説明図である。
【０１０４】
図３０の（ａ）はレコーダが最新の記録位置管理データＲＭＤ７を検索する場合を示す。システムリードイン領域内の制御データゾーンのデータからデータリードイン領域の記録位置管理ゾーンＲＤＺを見つけ、記録位置管理データＲＭＤをトレースする。この中に拡張記録位置管理ゾーンＲＭＺの開始物理セクタ番号が記録されているので、第３ボーダー内の拡張記録位置管理ゾーンＲＭＺの最新の記録位置管理データＲＭＤ７を見つけることができる。
【０１０５】
図３０の（ｂ）に示すように、ＲＯＭドライブは未記録領域へのアクセスは不可であり、記録位置管理データＲＭＤの解釈が不可能である。
【０１０６】
繰り返しになるが、さらに詳細に各部のデータ構造について説明する。追記形情報記憶媒体内にあるＲＭＤディプリケーションゾーンＲＤＺと記録位置管理ゾーンＲＭＺ内のデータ構造を図３１に示す。図３１の（ａ）は図１１と同じものを示し、図１１内のＲＭＤディプリケーションゾーンＲＤＺと記録位置管理ゾーンＲＭＺの拡大図が図３１の（ｂ）に示されている。上述したように、データリードイン領域ＤＴＬＤＩ内の記録位置管理ゾーンＲＭＺには最初のボーダー内領域ＢＲＤＡ内に対応した記録位置管理に関するデータが１個の記録位置管理データ（Recording Management Data）ＲＭＤの中にそれぞれまとめて記録され、追記形情報記憶媒体への追記処理が行われた時に発生する記録位置管理データＲＭＤの中身が更新される毎に新たな記録位置管理データＲＭＤとして順次後ろ側に追記される。
【０１０７】
すなわち、記録位置管理データ（Recording Management Data）ＲＭＤは１物理セグメントブロック（物理セグメントブロックについては後述する）のサイズ単位で記録され、データ内容が更新される毎に新たな記録位置管理データＲＭＤとして順次後ろに追記されて行く。
【０１０８】
図３１の（ｂ）の例では事前に記録位置管理データＲＭＤ＃１、ＲＭＤ＃２が記録されていた所、管理データに変更が生じたので変更後（アップデート後）のデータを記録位置管理データＲＭＤ＃３として記録位置管理データＲＭＤ＃２の直後に記録した例を示している。したがって、記録位置管理ゾーンＲＭＺ内では更に追記可能なように予約領域２７３が存在している。
【０１０９】
図３１の（ｂ）はデータリードイン領域ＤＴＬＤＩ中に存在する記録位置管理ゾーンＲＭＺ内の構造を示しているが、それに限らずボーダーインＢＲＤＩ内またはボーダー内領域ＢＲＤＡ内にある記録位置管理ゾーンＲＭＺ（または拡張記録位置管理ゾーン：拡張ＲＭＺと呼ぶ）内の構造も図３１の（ｂ）に示した構造と同じである。
【０１１０】
本実施形態では最初のボーダー内領域ＢＲＤＡ＃１をクローズするか、データ領域ＤＴＡの終了処理（ファイナライズ）をする場合には、最後の記録位置管理データＲＭＤで図３１の（ｂ）に示した予約領域２７３を全て埋める処理を行う。これにより
（１）“未記録状態”の予約領域２７３が無くなり、ＤＰＤ（Differential Phase Detection）検出法によるトラッキング補正の安定化を保証する、
（２）かつての予約領域２７３に最後の記録位置管理データＲＭＤを多重書きする事になり、最後の記録位置管理データＲＭＤに関する再生時の信頼性が大幅に向上する、
（３）誤って未記録状態の予約領域２７３に異なった記録位置管理データＲＭＤを記録する事件を防止できる、
と言う効果がある。
【０１１１】
上記処理方法はデータリードイン領域ＤＴＬＤＩ内の記録位置管理ゾーンＲＭＺに限らず、本実施形態ではボーダーインＢＲＤＩ内またはボーダー内領域ＢＲＤＡ内にある記録位置管理ゾーンＲＭＺ（または拡張記録位置管理ゾーン：拡張ＲＭＺと呼ぶ）に対しても、対応するボーダー内領域ＢＲＤＡをクローズするかデータ領域ＤＴＡの終了処理（ファイナライズ）をする場合には、最後の記録位置管理データＲＭＤで予約領域２７３を全て埋める処理を行う。
【０１１２】
ＲＭＤディプリケーションゾーンＲＤＺ内はＲＤＺリードインＲＤＺＬＩと対応ＲＭＺ最後の記録位置管理データＲＭＤの記録領域２７１に分かれている。ＲＤＺリードインＲＤＺＬＩの中は図３１の（ｂ）に示すように、データサイズが４８ＫＢのシステム予約領域ＳＲＳＦとデータサイズが１６ＫＢのユニークＩＤ領域ＵＩＤＦから構成される。システム予約領域ＳＲＳＦ内は全て“００ｈ”にセットされる。
【０１１３】
本実施形態では追記可能なデータリードイン領域ＤＴＬＤＩ内に、ＲＤＺリードインＲＤＺＬＩを記録する。本実施形態の追記形情報記憶媒体では製造直後は、ＲＤＺリードインＲＤＺＬＩは未記録の状態で出荷される。ユーザサイドの情報記録再生装置内でこの追記形情報記憶媒体を使う段階で初めてＲＤＺリードインＲＤＺＬＩの情報を記録する。したがって、追記形情報記憶媒体を情報記録再生装置に装着直後にＲＤＺリードインＲＤＺＬＩに情報が記録されているか否かを判定することにより、対象の追記形情報記憶媒体が製造・出荷直後の状態か、少なくとも一回でも使用したかを容易に知る事が出来る。
【０１１４】
図３１の（ｂ）に示す領域の配置構造は、必要情報収集に必要な時間の短縮化が図れる構造である。
【０１１５】
ユニークＩＤ領域ＵＩＤＦ内は図３１の（ｃ）に示すように、出荷直後の追記形情報記憶媒体を初めて使用した（記録を開始した）情報記録再生装置に関する情報が記録される。すなわち、情報記録再生装置のドライブメーカＩＤ２８１や情報記録再生装置のシリアル番号２８３、モデル番号２８４が記録される。ユニークＩＤ領域ＵＩＤＦ内は図３１の（ｃ）に示した２ＫＢ（厳密には２０４８バイト）の同じ情報が８回繰り返し記録されている。ユニークディスクＩＤ２８７内には図３１の（ｄ）に示すように、初めて使用（記録を開始）した時の年情報２９３、月情報２９４、日情報２９５、時間情報２９６、分情報２９７、秒情報２９８が記録される。それぞれの情報のデータタイプは図３１の（ｄ）に記載されているように、ＨＥＸ、ＢＩＮ、ＡＳＣＩＩで記載され、使用バイト数も２バイト、もしくは４バイト使われる。
【０１１６】
ＲＤＺリードインＲＤＺＬＩの領域のサイズと上記１個の記録位置管理データＲＭＤのサイズが６４ＫＢすなわち、１個のＥＣＣブロック内のユーザデータサイズの整数倍になっている。追記形情報記憶媒体の場合、１個のＥＣＣブロック内のデータの一部を変更後に情報記憶媒体に変更後のＥＣＣブロックのデータを書き替えると言う処理が出来ない。したがって、特に追記形情報記憶媒体の場合には、１個のＥＣＣブロックを含むデータセグメントの整数倍で構成されるレコーディングクラスタ単位で記録される。本実施形態のようにＲＤＺリードインＲＤＺＬＩの領域のサイズと上記１個の記録位置管理データＲＭＤのサイズが６４ＫＢの整数倍に設定することにより、記録効率の低下を防止できる。
【０１１７】
図３１の（ｂ）における、対応ＲＭＺ最後の記録位置管理データＲＭＤ記録領域２７１についての説明を行う。リードイン領域の内側に記録中断時の中間情報を記録する方法がある。この場合には記録を中断する毎あるいは追記処理を行う毎に、この領域に中間情報（本実施形態では記録位置管理データＲＭＤ）を逐次追記する必要がある。そのため、頻繁に記録中断または追記処理が繰り返されると、この領域が直ぐに満杯となり更なる追加処理が不可能になると言う問題が発生する。
【０１１８】
この問題を解決するために、本実施形態では特定の条件を満たす時にのみ、更新された記録位置管理データＲＭＤを記録できる領域としてＲＭＤディプリケーションゾーンＲＤＺを設定し、特定条件の下で間引かれた記録位置管理データＲＭＤを記録する事を特徴とする。
【０１１９】
このようにＲＭＤディプリケーションゾーンＲＤＺ内に追記される記録位置管理データＲＭＤの頻度を低下させることにより、ＲＭＤディプリケーションゾーンＲＤＺ内が満杯になるのを防ぎ、追記形情報記憶媒体に対する追記可能な回数を大幅に向上できると言う効果がある。
【０１２０】
これと並行して、追記処理毎に更新される記録位置管理データＲＭＤは、ボーダーインＢＲＤＩ内（最初のボーダー内領域ＢＲＤＡ＃１に関しては図３１の（ａ）に示すようにデータリードイン領域ＤＴＬＤＩ内）の記録位置管理ゾーンＲＭＺ、あるいはＲゾーンを利用した記録位置管理ゾーンＲＭＺ内に逐次追記される。
【０１２１】
そして、次のボーダー内領域ＢＲＤＡを作成（新たなボーダーインＢＲＤＩを設定）したり、Ｒゾーン内に新たな記録位置管理ゾーンＲＭＺを設定する等、新たな記録位置管理ゾーンＲＭＺを作る時に、最後の（新たな記録位置管理ゾーンＲＭＺを作る直前の状態での最新の）記録位置管理データＲＭＤをＲＭＤディプリケーションゾーンＲＤＺ（の中の対応ＲＭＺ最後の記録位置管理データＲＭＤ記録領域２７１）内に記録する。これにより、追記形情報記憶媒体への追記可能回数が大幅に増大するだけでなく、この領域を利用することにより、最新のＲＭＤ位置検索が容易になると言う効果が生まれる。
【０１２２】
図３１に示した記録位置管理データＲＭＤ内のデータ構造を図３２に示す。図３２の（ａ）、（ｂ）は図３１の（ａ）、（ｂ）と同じ内容になっている。前述したように、本実施形態では最初のボーダー内領域ＢＲＤＡ＃１に対するボーダーインＢＲＤＩをデータリードインＤＴＬＤＩと一部兼用しているため、データリードイン領域ＤＴＬＤＩ内の記録位置管理ゾーンＲＭＺには最初のボーダー内領域に対応する記録位置管理データＲＭＤ＃１〜ＲＭＤ＃３が記録されている。
【０１２３】
データ領域ＤＴＡ内に全くデータが記録されて無い場合、記録位置管理ゾーンＲＭＺ内は全てデータが未記録状態である予約領域２７３になる。データ領域ＤＴＡ内にデータが追記される毎に、更新された記録位置管理データＲＭＤが予約領域２７３内の最初の場所に記録され、記録位置管理ゾーンＲＭＺ内の最初のボーダー内領域に対応した記録位置管理データＲＭＤが順次追記されて行く。記録位置管理ゾーンＲＭＺ内に一回毎に追記される記録位置管理データＲＭＤのサイズは６４Ｋバイトにしている。また、本実施形態では６４ＫＢのデータで１ＥＣＣブロックを構成するため、記録位置管理データＲＭＤのデータサイズを１ＥＣＣブロックサイズに合わせることにより、追記処理の簡素化を図っている。
【０１２４】
本実施形態では１ＥＣＣブロックデータの前後にガード領域の一部を付加して１個のデータセグメントを構成し、１個以上（ｎ個）のデータセグメントに拡張ガードフィールドを付加して追記もしくは書き換え単位のレコーディングクラスタを構成する。
【０１２５】
記録位置管理データＲＭＤを記録する場合には１個のデータセグメント（１個のＥＣＣブロック）のみを含むレコーディングクラスタとして記録位置管理ゾーンＲＭＺ内に順次追記する。
【０１２６】
１個の記録位置管理データＲＭＤ＃１内のデータ構造を図３２（ｃ）に示す。図３２（ｃ）ではデータリードイン領域ＤＴＬＤＩ内の記録位置管理データＲＭＤ＃１内のデータ構造を示しているが、それに限らず、ＲＭＤディプリケーションゾーンＲＤＺ内に記録する記録位置管理データＲＭＤ＃Ａ、ＲＭＤ＃Ｂ（図３１の（ｂ））やボーダーインＢＲＤＩ内に記録される（拡張）記録位置管理データＲＭＤやＲゾーン内に記録される（拡張）記録位置管理データＲＭＤ内のデータ構造、およびボーダーアウトＢＲＤＯ内に記録するＲＭＤのコピーＣＲＭＤ）も同じ構造を取る。
【０１２７】
図３２の（ｃ）に示すように１個の記録位置管理データＲＭＤ内はリザーブ領域と“０”から“２１”までのＲＭＤフィールドから構成されている。１個の物理セクタ内に記録されるユーザデータサイズに合わせて各ＲＭＤフィールドはそれぞれ２０４８バイト毎に割り振られ、相対的な物理セクタ番号が設定されている。この相対的な物理セクタ番号順に追記形情報記憶媒体上にＲＭＤフィールドが記録される。各ＲＭＤフィールド内に記録されるデータ内容の概要は
・ＲＭＤフィールド０…ディスク状態に関する情報とデータエリアアロケーション（データ領域内の各種データの配置場所に関する情報）
・ＲＭＤフィールド１…使用したテストゾーンに関する情報と推奨の記録波形に関する情報
・ＲＭＤフィールド２…ユーザが使用できるエリア
・ＲＭＤフィールド３…ボーダーエリアの開始位置情報と拡張ＲＭＺ位置に関する情報
・ＲＭＤフィールド４〜２１…Ｒゾーンの位置に関する情報
となっている。
【０１２８】
図１１に示したように、追記形情報記憶媒体では内周側と外周側の２箇所にドライブテストゾーンＤＲＴＺを設けてある。ドライブテストゾーンＤＲＴＺに行う試し書きの回数が多い程、細かくパラメータを振って最適な記録条件を詳細に探すことができ、データ領域ＤＴＡへの記録精度が向上する。書替え形情報記憶媒体では重ね書きによるドライブテストゾーンＤＲＴＺ内の再利用が可能となるが、追記形情報記憶媒体では試し書きの回数を多くして記録精度を上げようとすると、ドライブテストゾーンＤＲＴＺ内をすぐに使い切ってしまうと言う問題が発生する。その問題を解決するために本実施形態では外周部から内周方向に沿って逐次拡張ドライブテストゾーン（Extended Drive Test Zone）ＥＤＲＴＺの設定を可能とし、ドライブテストゾーンの拡張を可能とする）。
【０１２９】
図３３で追記形情報記憶媒体におけるボーダー領域の構造についてさらに説明する。追記形情報記憶媒体に初めて１個のボーダー領域を設定した時は、図３３（ａ）に示すように、内周側（データリードイン領域ＤＴＬＤＩに最も近い側）にボーダー内領域（Bordered Area）ＢＲＤＡ＃１を設定後、その後ろにボーダーアウト（Border-out）ＢＲＤＯを形成する。
【０１３０】
更にその次のボーダー内領域（Bordered Area）ＢＲＤＡ＃２を設定したい場合には、図３３の（ｂ）に示すように、前の（＃１の）ボーダーアウトＢＲＤＯの後ろに次の（＃１の）ボーダーイン（Border-in）ＢＲＤＩを形成した後に、次のボーダー内領域ＢＲＤＡ＃２を設定する。次のボーダー内領域ＢＲＤＡ＃２をクローズしたい場合には、その直後に（＃２）のボーダーアウトＢＲＤＯを形成する。本実施形態ではこの前の（＃１の）ボーダーアウトＢＲＤＯの後ろに次の（＃１の）ボーダーイン（Border-in）ＢＲＤＩを形成して組みにした状態をボーダーゾーン（Border Zone）ＢＲＤＺと呼んでいる。ボーダーゾーンＢＲＤＺは情報再生装置（ＤＰＤ検出法を前提）で再生した時の各ボーダー内領域ＢＲＤＡ間で光学ヘッドがオーバーランするのを防止するために設定してある。したがって、情報が記録された追記形情報記憶媒体を再生専用装置で再生する場合にはボーダーアウトＢＲＤＯとボーダーインＢＲＤＩが既に記録されると共に最後のボーダー内領域ＢＲＤＡの後ろにボーダーアウトＢＲＤＯが記録されるボーダークローズ処理がなされる事が前提となる。最初のボーダー内領域ＢＲＤＡ＃１は４０８０個以上の物理セグメントブロックで構成され、追記形情報記憶媒体上の半径方向で最初のボーダー内領域ＢＲＤＡ＃１が１.０ｍｍ以上の幅を持っている必要がある。図３３の（ｂ）ではデータ領域ＤＴＡ内に拡張ドライブテストゾーンＥＤＲＴＺを設定した例を示している。
【０１３１】
追記形情報記憶媒体をファイナライズ（Finalization）した後の状態を図３３の（ｃ）に示す。図３３の（ｃ）の例では拡張ドライブテストゾーンＥＤＲＴＺをデータリードアウト領域ＤＴＬＤＯ内に組み込み、更に拡張代替え領域ＥＳＰＡも設定済みの例を示してある。この場合には、ユーザデータの追加可能範囲２０５を残さないように最後のボーダーアウトＢＲＤＯで埋める。
【０１３２】
上記で説明したボーダーゾーンＢＲＤＺ内の詳細なデータ構造を図３３の（ｄ）に示す。各情報は後述する１物理セグメントブロック（Physical Segment Block）のサイズ単位で記録される。ボーダーアウトＢＲＤＯ内の最初には記録位置管理ゾーンへ記録された内容のコピー情報Ｃ_ＲＭＺが記録され、ボーダーアウトＢＲＤＯである事を示すボーダー終了用目印（Stop Block）ＳＴＢが記録される。さらに次のボーダーインＢＲＤＩがある場合には、ボーダー終了用目印（Stop Block）ＳＴＢが記録された物理セグメントブロックから数えて“Ｎ１番目”の物理セグメントブロックに続いてボーダー領域がある事を示す最初の目印（Next Border Marker）ＮＢＭが、そして“Ｎ２番目”の物理セグメントブロックに続いてボーダー領域が来る事を示す２番目の目印ＮＢＭ、“Ｎ３番目”の物理セグメントブロックに続いてボーダー領域が来る事を示す３番目の目印ＮＢＭが、それぞれ１物理セグメントブロックのサイズ毎に離散的に合計３箇所に記録される。次のボーダーインＢＲＤＩ内にはアップデートされた物理フォーマット情報（Updated Physical Format Information）Ｕ_ＰＦＩが記録される。
【０１３３】
現行のＤＶＤ−Ｒ、またはＤＶＤ−ＲＷディスクでは次のボーダー領域がない場合には（最後のボーダーアウトＢＲＤＯ内では）、図３３の（ｄ）に示した“次のボーダーを示す目印ＮＢＭ”を記録すべき場所（１物理セグメントブロックサイズの場所）は“全くデータを記録しない場所”のまま保持される。この状態でボーダークローズされると、追記形情報記憶媒体（現行のＤＶＤ−ＲまたはＤＶＤ−ＲＷディスク）は従来のＤＶＤ-ＲＯＭドライブまたは従来のＤＶＤプレーヤでの再生が可能な状態となる。従来のＤＶＤ-ＲＯＭドライブまたは従来のＤＶＤプレーヤでは追記形情報記憶媒体（現行のＤＶＤ−ＲまたはＤＶＤ−ＲＷディスク）上に記録された記録マークを利用してＤＰＤ（Differential Phase Detect）法を用いたトラックずれ検出を行う。しかし上記の“全くデータを記録しない場所”では１物理セグメントブロックサイズにも亘って記録マークが存在しないので、ＤＰＤ（Differential Phase Detect）法を用いたトラックずれ検出が行えないので安定にトラックサーボが掛からないと言う問題がある。上記の現行のＤＶＤ−ＲまたはＤＶＤ−ＲＷディスクの問題点の対策として本実施形態では
（１）次のボーダー領域がない場合には、“次のボーダーを示す目印ＮＢＭを記録すべき場所”には予め特定パターンのデータを記録しておく、
（２）次のボーダー領域がある場合には、上記予め特定パターンのデータが記録されている“次のボーダーを示す目印ＮＢＭ”の場所には部分的かつ離散的に特定の記録パターンで『重ね書き処理』を行うことにより、“次のボーダー領域がある事”を示す識別情報として利用する、
と言う方法を新規に採用している。このように重ね書きにより次のボーダーを示す目印を設定することにより、（１）に示すように次のボーダー領域が来ない場合でも、“次のボーダーを示す目印ＮＢＭを記録すべき場所”には予め特定パターンの記録マークが形成でき、ボーダークローズ後に再生専用の情報再生装置でＤＰＤ法によりトラックずれ検出を行っても安定にトラックサーボが掛かると言う効果が生まれる。追記形情報記憶媒体において既に記録マークが形成されている部分に対して部分的にでもその上に新たな記録マークを重ね書きすると、情報記録再生装置または情報再生装置において図１に示したＰＬＬ回路の安定化が損なわれる危惧がある。その危惧対策として本実施形態では更に
（３）１物理セグメントブロックサイズの“次のボーダーを示す目印ＮＢＭ”の位置に重ね書きする時に同一データセグメント内の場所により重ね書き状況を変化させる方法と、
（４）シンクデータ内に部分的に重ね書きを行い、シンクコード上での重ね書きを禁止する、
（５）データＩＤとＩＥＤを除いた場所に重ね書きする、
と言う方法を更に新規に採用している。
【０１３４】
シンクコードを除いたシンクデータ内に部分的に重ね書きを行うことにより、“次のボーダーを示す目印ＮＢＭ”内でもシンクコードを用いたデータＩＤ位置の検出とデータＩＤに記録された情報の再生（内容判読）を可能にしている。
【０１３５】
上記内容を具体的に説明するために“次のボーダーを示す目印ＮＢＭ”の場所に重ね書きを行う時のフローチャートを図３４に示す。図１に示した情報記録再生装置の制御部１４３がインターフェース部１４２を介して新たなボーダーの設定指示を受ける（ＳＴ１）と、制御部１４３は情報記録再生部１４１を制御して既存の最後に配置されたボーダー内領域ＢＲＤＡ内の再生を開始（ＳＴ２）する。情報記録再生部１４１はボーダーアウトＢＲＤＯ内のボーダー終了用目印ＳＴＢを検出するまで（ＳＴ３）トラッキングしながら、ボーダー内領域ＢＲＤＡ内をプリグルーブに沿ってトレースし続ける。図３３の（ｄ）に示すように、ボーダー終了用目印ＳＴＢの後、Ｎ１番目とＮ２番目とＮ３番目の物理セグメントブロックに既に特定のパターンで記録された次のボーダーを示す目印ＮＢＭが配置されている。情報記録再生部１４１はボーダーアウトＢＲＤＯ内の再生を継続しながら（ＳＴ４）物理セグメントブロックの数を数えながら、“次のボーダーを示す目印ＮＢＭ”の位置を探す（ＳＴ５）。上述したように“（３）同一データセグメント内の場所により重ね書き状況を変化させる”方法の具体的な一例として、同一データセグメント内の少なくとも最後の物理セクタ内では重ね書き領域を広く取る。
【０１３６】
データセグメント内の最後の物理セクタを検出（ＳＴ６）したら、データＩＤとＩＥＤを残して（データＩＤとＩＥＤの所は重ね書きせずに）データＩＤとＩＥＤ直後から最後の物理セクタの終わりまで重ね書きを行う（ＳＴ９）。同一データセグメント内の少なくとも最後の物理セクタ以外では、シンクコード（ＳＹ０〜ＳＹ３）の領域は避けてシンクデータ内に部分的に特定パターンで重ね書きする（ＳＴ７）。上記のプロセスを“次のボーダーを示す目印ＮＢＭ”毎に行い、３番目の“次のボーダーを示す目印ＮＢＭ”への重ね書き処理が終わったら（ＳＴ９）、新たなボーダーインＢＲＤＩを記録後、ボーダー内領域ＢＲＤＡ内にユーザデータを記録する（ＳＴ１０）。
【０１３７】
図３３の（ｃ）に示すボーダー内領域ＢＲＤＡ内に記録する情報の論理的な記録単位をＲゾーン（R Zone）と呼ぶ。したがって、１個のボーダー内領域ＢＲＤＡ内は少なくとも１個以上のＲゾーンから構成されている。現行のＤＶＤ-ＲＯＭではファイルシステムにＵＤＦ（Universal Disc Format）に準拠したファイル管理情報と、ＩＳＯ９６６０に準拠したファイル管理情報との両方が同時に１枚の情報記憶媒体内に記録される“ＵＤＦブリッジ”というファイルシステムを採用している。ＩＳＯ９６６０に準拠したファイル管理方法では、１個のファイルが情報記憶媒体内に必ず連続して記録されなければならない決まりがある。すなわち、１個のファイル内の情報が情報記憶媒体上に離散的な位置に分割配置する事を禁止している。したがって、例えば上記ＵＤＦブリッジに準拠して情報が記録された場合、１個のファイルを構成する全情報が連続的に記録されるので、１個のファイルが連続して記録される領域が１個のＲゾーンを構成するように適応させる事もできる。
【０１３８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１３９】
【図１】本発明の情報記録再生装置の一実施形態の構造説明図。
【図２】光ディスクへの情報記録状態を示し、本発明の一実施の形態を示す説明図。
【図３】図２の情報記録状態を実現するための装置の動作を示すフローチャート。
【図４】光ディスクへの情報記録状態を示し、本発明の他の実施の形態を示す説明図。
【図５】図４の情報記録状態を実現するための装置の動作を示すフローチャート。
【図６】光ディスクへの情報記録状態を示し、本発明のまた他の実施の形態を示す説明図。
【図７】図６の情報記録状態を実現するための装置の動作を示すフローチャート。
【図８】本実施形態における情報記憶媒体の構造及び寸法を示す図。
【図９】追記形情報記憶媒体または１層構造を有する再生専用形情報記憶媒体における物理セクタ番号の設定方法を示す図。
【図１０】追記形情報記憶媒体における一般パラメータの値を示す図。
【図１１】追記型情報記憶媒体におけるシステムリードイン領域ＳＹＬＤＩとデータリードイン領域ＤＴＬＤＩ内の詳細なデータ構造を示す図。
【図１２】物理フォーマット情報（ＰＦＩ）の説明図。
【図１３】記録位置管理データ（ＲＭＤ）の基本概念の説明図。
【図１４】情報再生装置もしくは情報記録再生装置における情報記憶媒体装着直後の処理手順を示すフローチャート。
【図１５】情報記録再生装置における追記形情報記憶媒体への情報の追記方法を説明するためのフローチャート。
【図１６】拡張可能な記録位置管理ゾーンＲＭＺの設定方法の概念を示す図。
【図１７】図１６の詳細を示す図。
【図１８】ボーダーゾーンについての説明図。
【図１９】情報記録再生装置における２番目以降のボーダー内領域のクローズ処理を示す図。
【図２０】情報記録再生装置においてボーダー内領域を一旦クローズした後に終了処理（ファイナライズ）する場合の処理方法を示す図。
【図２１】ボーダーイン内に記録する拡張記録位置管理ゾーンＥＸ．ＲＭＺの原理を示す図。
【図２２】Ｒゾーンについての説明図。
【図２３】Ｒゾーンを用いた複数箇所同時追記可能方式についての概念説明図。
【図２４】情報記録再生装置におけるＲゾーンの設定方法と記録位置管理データＲＭＤとの関係を示す図。
【図２５】最初のボーダー内領域をクローズした時のＲゾーンと記録位置管理データＲＭＤとの関連を示す図。
【図２６】情報記録再生装置における終了処理（ファイナライズ）手順の説明図。
【図２７】Ｒゾーンを利用した拡張記録位置管理ゾーンＥＸ．ＲＭＺの設定についての原理説明図。
【図２８】Ｒゾーンを利用した拡張記録位置管理ゾーンＥＸ．ＲＭＺの新規設定と記録位置管理データＲＭＤとの関係を示す図。
【図２９】同一ボーダー内領域において既存の記録位置管理ゾーンＲＭＺが満杯になった時の処理方法の概念説明図。
【図３０】情報再生装置または情報記録再生装置におけるＲＭＤディプリケーションゾーンＲＤＺを用いた最新の記録位置管理データＲＭＤの記録位置検索方法の説明図。
【図３１】追記形情報記憶媒体内にあるＲＭＤディプリケーションゾーンＲＤＺと記録位置管理ゾーンＲＭＺ内のデータ構造を示す図。
【図３２】記録位置管理データＲＭＤ内のデータ構造を示す図。
【図３３】追記形情報記憶媒体におけるボーダー領域の構造についての説明図。
【図３４】重ね書き処理による“次のボーダーを示す目印ＮＢＭ”の作成方法を示すフローチャート。
【符号の説明】
【０１４０】
１３５…ウォブル信号検出部、１４１…情報記録再生部、１４３…制御部、１５１…変調回路、１５２…復調回路、１５６…ビタビ復号器、１５９…デスクランブル回路、１６１…ＥＣＣエンコーディング回路、１６２…ＥＣＣデコーディング回路、１７１…データＩＤ部とＩＥＤ部抽出部、１７２…データＩＤ部のエラーチェック部、１７４…ＰＬＬ回路。
【図１】
2006209926.tif 000003
【図２】
2006209926.tif 000004
【図３】
2006209926.tif 000005
【図４】
2006209926.tif 000006
【図５】
2006209926.tif 000007
【図６】
2006209926.tif 000008
【図７】
2006209926.tif 000009
【図８】
2006209926.tif 000010
【図９】
2006209926.tif 000011
【図１０】
2006209926.tif 000012
【図１１】
2006209926.tif 000013
【図１２】
2006209926.tif 000014
【図１３】
2006209926.tif 000015
【図１４】
2006209926.tif 000016
【図１５】
2006209926.tif 000017
【図１６】
2006209926.tif 000018
【図１７】
2006209926.tif 000019
【図１８】
2006209926.tif 000020
【図１９】
2006209926.tif 000021
【図２０】
2006209926.tif 000022
【図２１】
2006209926.tif 000023
【図２２】
2006209926.tif 000024
【図２３】
2006209926.tif 000025
【図２４】
2006209926.tif 000026
【図２５】
2006209926.tif 000027
【図２６】
2006209926.tif 000028
【図２７】
2006209926.tif 000029
【図２８】
2006209926.tif 000030
【図２９】
2006209926.tif 000031
【図３０】
2006209926.tif 000032
【図３１】
2006209926.tif 000033
【図３２】
2006209926.tif 000034
【図３３】
2006209926.tif 000035
【図３４】
2006209926.tif 000036